(57)【特許請求の範囲】
【請求項１】
上面に載置面(５)を有する台座(２)と、
上記載置面(５)の上に下端部を載置するとともに、上端面で形成する支持面(１４)を有する支持筒(１０)と、
を具備し、
上記支持筒(１０)は、稜線(Ｒ)を縦向きとした可撓性を有する波板(Ｃ)を曲げて、波板(Ｃ)の両側部を、一方側部(ｃ１)の稜線(Ｒ)と他方側部(ｃ２)の谷線(Ｖ)とが一致するように重ね合せてなる筒壁(１２)と、
波板(Ｃ)の曲げ状態を保持するように波板(Ｃ)を囲む保持手段(１６)と、
で構成した、波板を利用した支持体において、
上記波板(Ｃ)を透光材料で形成するとともに、上記隆起部(６)から発光する照明手段(８)を設けており、
上記台座(２)は、上面の中央部から隆起する隆起部(６)を有するとともに、隆起部(６)の周囲の環状の上面部分を載置面(５)とし、支持筒(１０)の筒壁(１２)下部が隆起部(６)を囲むようにし、
上記保持手段(１６)は長さを調整可能な保持バンドとし、波板(Ｃ)の両側部(ｃ１、ｃ２)の重なりを波形のピッチ単位で変更することで支持筒(１０)の直径を変更可能とし、
上記載置面(５)の寸法は、少なくとも一ピッチ分の長さだけ支持筒(１０)の直径を変更しても、支持筒(１０)の筒壁(１２)を載置面(５)上に載置させることができるように設定された
ことを特徴とする、波板を利用した支持体。
【発明の詳細な説明】
【技術分野】
【０００１】
本発明は、波板を利用した支持体、特に照明手段を組み込んだ、波板を利用した支持体に関する。
【背景技術】
【０００２】
この種の支持体として、中心軸から放射方向へ延びる複数の垂直な連結板で支持された波板を、中心軸の回りに略周壁状に配置したものが知られている（特許文献１）。
【０００３】
また照明ライトの支持台として、２基の支持台を隣接して配置し、両支持台の隣接する側壁を稜線が水平方向にある波板として、波板が重なり合うようにしてデザイン性を向上したものが知られている（特許文献２）。
【先行技術文献】
【特許文献】
【０００４】
【特許文献１】特開２００７−１５１９２８
【特許文献２】特開平１１−３９９０５
【発明の概要】
【発明が解決しようとする課題】
【０００５】
引用文献１の支持体は、構成が複雑であり、材料費がかかるとともに、製作に手間を要する。
引用文献２の照明ライトの支持台は、波板の形態を重ね合せの形態に利用しているだけであり、ある程度の装飾的効果はあるが、光を利用した装飾というアイディアはない。
【０００６】
本発明の第１の目的は、可撓性を有する波板を利用して、稜線を縦にした波板の両側部を重ねて波板の曲げ状態を保持することで簡単で丈夫な支持体を提供することである。
本発明の第２の目的は、上記波板を透光材料で形成し、波板の内部に照明手段を組み込むことで装飾性の高い照明機能付きの支持体を提供することである。
【課題を解決するための手段】
【０００７】
第１の手段は、上面に載置面５を有する台座２と、
上記載置面５の上に下端部を載置するとともに、上端面で形成する支持面１４を有する支持筒１０と、
を具備し、
上記支持筒１０は、稜線Ｒを縦向きとした可撓性を有する波板Ｃを曲げて、波板Ｃの両側部を、一方側部ｃ１の稜線Ｒと他方側部ｃ２の谷線Ｖとが一致するように重ね合せてなる筒壁１２と、
波板Ｃの曲げ状態を保持するように波板Ｃを囲む保持手段１６と、
で構成した、波板を利用した支持体において、
上記波板Ｃを透光材料で形成するとともに、上記隆起部６から発光する照明手段８を設けており、
上記台座２は、上面の中央部から隆起する隆起部６を有するとともに、隆起部６の周囲の環状の上面部分を載置面５とし、支持筒１０の筒壁１２下部が隆起部６を囲むようにし、
上記保持手段１６は長さを調整可能な保持バンドとし、波板Ｃの両側部ｃ１、ｃ２の重なりを波形のピッチ単位で変更することで支持筒１０の直径を変更可能とし、
上記載置面５の寸法は、少なくとも一ピッチ分の長さだけ支持筒１０の直径を変更しても、支持筒１０の筒壁１２を載置面５上に載置させることができるように設定された。
【０００８】
本手段では、図１〜図３に示すように、稜線Ｒを縦向きにした状態で、可撓性を有する波板Ｃを曲げて波板Ｃの両側部を重ねて、支持筒１０の筒壁１２とし、波板Ｃの曲げ状態を保つように保持手段１６を設けている。波板Ｃと保持手段１６とで形成するから、低コストで製作することができ、製作の手間もかからない。本来支持力の強い波板を曲げて筒状にしているので、単なる円筒状の支持筒に比べて設置面が大きくなり、支持力を向上することができる。
また本手段では、図２に示すように、台座２の上面中央部から隆起する隆起部６を設け、この隆起部を支持筒１０の下端部で囲むようにしている。
【００１０】
また本手段では、保持手段１６を、長さの調整可能な保持バンドとして、波板Ｃの両側部ｃ１、ｃ２の重なりを波形のピッチ単位で変更できるようにしている（図３、図５参照）。これにより支持される物のサイズに応じて、支持筒１０の直径を変更できるようにしている。波板に代えて、通常の可撓性平板の両側部を重ねて、重なり幅を変化させても直径を変えることができるが、波板の構成では波形のピッチ単位で変えることができるので、波板の波形が位置決め手段となって、支持筒１０の直径の調整が容易となる。
なお、上記載置面５の寸法は、少なくとも一ピッチ分の長さだけ支持筒１０の直径を変更しても、支持筒１０の筒壁１２を載置面５上に載置させることができるように設定された。
【００１４】
さらにまた本手段では、図２に示す如く、隆起部６に組み込まれた照明手段８から発する光が透光性の波板（透明板の他、乳白色の板等を含む）を通って散乱するようにしている。
【発明の効果】
【００１５】
第１の手段に係る発明によれば、支持筒１０は、稜線Ｒを縦向きとした可撓性を有する波板Ｃを曲げて、波板Ｃの両側部を重ね合せてなる筒壁１２と、波板Ｃの曲げ状態を保持するように波板Ｃを囲む保持手段１６とで構成したから、簡易に組み立てることができるとともに、支持筒１０の支持力が高まる。
また第１の手段に係る発明によれば、支持筒１０の筒壁１２下部が台座２の隆起部６を囲むようにしたから、支持筒１０が台座２の載置面５からずれることを防止できる。
さらにまた第１の手段に係る発明によれば、保持手段１６は長さを調整可能な保持バンドとし、波板Ｃの両側部ｃ１、ｃ２の重なりを波形のピッチ単位で変更することで支持筒１０の直径を変更可能としたから、使い勝手がよい。
また前記波板Ｃを透光材料で形成するとともに、上記隆起部６から発光する照明手段８を設けたから、波板Ｃの稜線及び谷線と平行な散乱光の帯が表れ、装飾的効果が高まる。
【図面の簡単な説明】
【００１６】
【図１】本発明の第１実施形態に係る波板を利用した支持体の正面図である。
【図２】図１の支持体の下部の縦断面図である。
【図３】図１の支持体の要部の斜視図である。
【図４】図１の支持体の直径を変更した形態の断面図である。
【図５】図４の支持体の要部の斜視図である。
【図６】本発明の第２実施形態に係る波板を利用した支持体の正面図である。
【図７】図６の支持体の分解図である。
【発明を実施するための最良の形態】
【００１７】
図１から図５は、本発明の第１の実施形態に係る波板を利用した支持体である。この支持体は、台座２と支持筒１０とで構成されている。なお、１００は、支持体により支持された植木鉢であり、その周壁１０２の上端に付設した鍔部１０４を支持体の上端面に載置している。
【００１８】
台座２は、台板４の上面中央部から隆起部６を隆起させるとともに、隆起部６の回りの台板部分の上面を載置面５としている。また隆起部６内に照明手段８を組み込み、隆起部６から上方へ光を照射するように構成している。
【００１９】
支持筒１０は、筒壁１２と保持手段１６とで構成される。
【００２０】
上記筒壁１２は、可撓性を有する波板Ｃの稜線Ｒ及び谷線Ｖを縦向きにして、波板Ｃの一方側部ｃ１と他方側部ｃ２とを重ねるように波板Ｃを曲げて形成する。両側部は、その一方の稜線が他方の谷線に、また一方の谷線が他方の稜線にそれぞれ重なるように重ねる。また筒壁１２の上端面は支持面１４を形成する。  
【００２１】
本実施形態では、波板Ｃは透光材料で形成することができる。なお、本明細書において透光材料とは、透明材料の他、光を散乱して透過する材料（例えば乳白色の材料）を含むものとする。
【００２２】
上記保持手段１６は、波板Ｃの曲げ状態を保持するように波板Ｃを囲む機能を有する。本実施形態では、保持手段１６は、波板Ｃを囲む周囲長を調整可能な保持ベルトで形成している。保持ベルトは、ベルト本体１６ａとベルト本体１６ａの基端部に付設した留め具１６ｂとで形成し、ベルト本体１６ａの先端側を留め具に挿通させ、波形のピッチに対応した一定幅毎に留めることができるようにしている。
【００２３】
上記保持手段１６を周囲に装着した状態で支持筒１０の筒壁１２の下部は隆起部６を囲んでいる。筒壁１２の下部は隆起部６の周囲に嵌合させるようにしてもよいが、筒壁１２の下部と隆起部６との間に間隙があっても構わない。
【００２４】
上記構成において、支持筒１０の筒壁１２は、曲げた波板Ｃの両側部ｃ１、ｃ２を重ねて保持手段１６で留めることで形成しているので、大きな支持力を得られる。
【００２５】
また照明手段８を図示しない電源に接続して、照明手段８をオンにすると、照明手段の光が透明な波板Ｃに入射し、波板Ｃの稜線Ｒ及び谷線Ｖで乱反射するので、縦方向の縞や輝線が出現し、支持筒１０自体としても高い装飾効果が得られる。
【００２６】
さらに支持体の上にフラワーアレンジメントを設置すると、そのフラワーアレンジメントを下から装飾光が照らすので、支持体の装飾効果と、フラワーアレンジメントなどの被支持物の装飾効果との相乗作用が得られるので、さらに装飾機能が高まる。また支持筒内に植物（生花や造花のいずれも含む）の幹や枝などを入れ、それを装飾物としてアレンジすることで装飾効果をもたせるようにしてもよい。
【００２７】
図３の状態では、波板Ｃの両側部が波板の５ピッチ分だけ重なっているが、保持手段１６を外して、図５に示すように両側部の重なりを減らすと、支持筒１０の直径を、図３のＤ１から図５のＤ２へと拡大することができる。この場合、隆起部６と支持筒１０との間に隙間が生じてしまうが、図示例のように隆起部６と支持筒１０との隙間を埋める筒状スペーサ１８を設置して、支持筒１０のがたつきを防止するようにしてもよい。
【００２８】
植木鉢などのある種の物品には何号という大きさの規格がある。直径の被支持物には何ピッチ分の重なりとすればよいという対応関係が成立するように波板のピッチ数を設定しておくと、支持体の直径の変更がさらに容易となる。
【００２９】
図２は、本発明の第２の実施形態に係る波板を利用した支持台を示している。この支持体は、背の低い台（踏み台や腰掛用の座台など）として形成しており、支持筒１０の上に載置する上蓋２０を有する。上蓋２０は、蓋板２２の裏面から脚筒２４を垂下しており、この脚筒２４を支持筒１０の筒壁１２上端部内に挿入するようにしている。
【００３０】
本実施形態の適用例としては、小物用の載置台としてもよい。さらに上記蓋板２２の上面にブックスタンドを載せ、或いは蓋板２２にスタンド手段を起立して、読書台としてもよい。図示例では、照明手段が記載されていないが、第１実施形態と同様に台座に照明手段を組み込んでもよい。
【符号の説明】
【００３１】
２…台座  ４…台板  ５…載置面  ６…隆起部  ８…照明手段  
１０…支持筒  １２…筒壁  １４…支持面  １６…保持手段  １６ａ…ベルト本体
１６ｂ…留め具  １８…スペーサ  ２０…上蓋  ２２…蓋板  ２４…脚筒
Ｃ…波板  ｃ１…一方側部  ｃ２…他方側部  Ｒ…稜線  Ｖ…谷線
【図１】
0006761221.tif 000002
【図２】
0006761221.tif 000003
【図３】
0006761221.tif 000004
【図４】
0006761221.tif 000005
【図５】
0006761221.tif 000006
【図６】
0006761221.tif 000007
【図７】
0006761221.tif 000008